(57)【要約】      （修正有）【課題】転がり軸受とダストカバーの間に水滴が侵入しても、その水滴が転がり軸受のシールに到達する前に、外部にスムーズに排出できるようにする。【解決手段】シール１７を有する転がり軸受１０と、その転がり軸受１０が組み込まれた内筒部３３を有するプーリ３０と、前記転がり軸受１０の両側面を覆うダストカバー４０とを備えるプーリ付き転がり軸受において、前記ダストカバー４０の前記転がり軸受側１０の側面に、前記シール１７への水滴の案内を阻害する水滴受け段部４１を設けたことを特徴とする。【選択図】図２
2020051515.tif 000002
【特許請求の範囲】
【請求項１】
シールを有する転がり軸受と、その転がり軸受が組み込まれた内筒部を有するプーリと、前記転がり軸受の両側面を覆うダストカバーとを備えるプーリ付き転がり軸受において、
前記ダストカバーの前記転がり軸受側の側面に、前記シールへの水滴の案内を阻害する水滴受け段部が設けられていることを特徴とするプーリ付き転がり軸受。
【請求項２】
前記水滴受け段部は、軸方向に平行に延びる平坦面を有している請求項１記載のプーリ付き軸受。
【請求項３】
前記水滴受け段部の外周面に窪みを設けたことを特徴とする請求項１記載のプーリ付き転がり軸受。
【請求項４】
前記ダストカバーの前記転がり軸受側の側面に、前記水滴受け段部よりも外径側に位置する凸状部を設けたことを特徴とする請求項１乃至３のいずれか１項に記載のプーリ付き転がり軸受。
【発明の詳細な説明】
【技術分野】
【０００１】
この発明は、プーリ付き転がり軸受に関する。
【背景技術】
【０００２】
オルタネータやコンプレッサ等の自動車補機を駆動するベルト伝動装置においては、アイドラプーリによってベルトの移動を案内し、あるいは、油圧式オートテンショナによりテンションプーリをベルトに押し付けてベルトの張力変動を吸収し、ベルト張力を一定に保つようにしている。
【０００３】
上記のようなアイドラプーリやテンションプーリは、外部に露出する組み付けであるため、図７に示すように、プーリ１を回転自在に支持する転がり軸受２には、シール３によって軸受内部への異物の侵入を防止するシール付き転がり軸受が一般的に使用される。
【０００４】
しかし、シール付き転がり軸受に組み込まれたシール３のみで泥水などの異物の軸受内への侵入を防止する場合、異物との接触によってシール３が損傷し易く、耐久性に問題があるため、シール付き転がり軸受の両側にダストカバー４を設けてシール３の損傷を防止し、転がり軸受のシール性の向上を図ることが行われている（特許文献１、２）。
【先行技術文献】
【特許文献】
【０００５】
【特許文献１】特開２０１５−１７６６６号公報
【特許文献２】特開２０１７−２６０３４号公報
【発明の概要】
【発明が解決しようとする課題】
【０００６】
ところで、前記ダストカバー４は、転がり軸受２と、転がり軸受２の両側面を覆うように取り付けられ、転がり軸受２への水の掛かりを防止する機能を有しているが、その反面、転がり軸受２とダストカバー４との間に、図８の拡大図に矢印で示すように、水が浸入すると、その水滴がダストカバー４の側面に沿って転がり軸受２のシール３に向かって案内され、転がり軸受２のシール性に悪影響を及ぼす懸念がある。
【０００７】
そこで、この発明は、転がり軸受とダストカバーの間に水が浸入しても、外部にスムーズに排出できるようにして転がり軸受のシール性を向上させようとするものである。
【課題を解決するための手段】
【０００８】
前記の課題を解決するために、この発明は、シールを有する転がり軸受と、その転がり軸受が組み込まれた内筒部を有するプーリと、前記転がり軸受の両側面を覆うダストカバーとを備えるプーリ付き転がり軸受において、前記ダストカバーの前記転がり軸受側の側面に、前記シールへの水滴の案内を阻害する水滴受け段部が設けられていることを特徴とする。
【発明の効果】
【０００９】
以上のように、この発明によれば、転がり軸受とダストカバーの間に水が浸入しても、その水滴は、転がり軸受のシールに到達する前に、ダストカバーの転がり軸受側の側面に設けられた、軸方向に突出する水滴受け段部に当たって一旦止まって、水滴受け段部の外周面に沿って外部に排出されるので、転がり軸受のシール性が向上する。
【図面の簡単な説明】
【００１０】
【図１】この発明に係るプーリ付き転がり軸受の縦断面図である。
【図２】図１の部分拡大縦断面図である。
【図３】水滴受け段部の外周面に窪みを設けた実施形態の縦断面図である。
【図４】水滴受け段部の外径側に凸条部を設けた実施形態の縦断面図である。
【図５】従来例のプーリ付き転がり軸受の縦断面図である。
【図６】図５の部分拡大縦断面図である。
【発明を実施するための形態】
【００１１】
以下、この発明の実施の形態を添付図面に基づいて説明する。
【００１２】
図１に示すように、プーリ付き軸受は、複列の転がり軸受１０と、この複列の転がり軸受１０によって回転自在に支持されたプーリ３０と、上記転がり軸受１０の両側に設けられた一対のダストカバー４０とを有している。
【００１３】
複列の転がり軸受１０は、それぞれ外輪１１の内径面に形成された軌道溝１２と、内輪１３の外径面に形成された軌道溝１４間に複数のボール１５を組込み、そのボール１５を保持器１６で保持し、上記外輪１１と内輪１３の対向部間に形成された軸受空間の両端開口を一対のシール１７で密閉したシール付きの玉軸受からなる。なお、複列の転がり軸受に限らず、単列の転がり軸受であってもよい。以下の説明において、転がり軸受１０の中心軸に沿った方向を「軸方向」、中心軸に直交する方向を「径方向」、中心軸を中心とする円弧に沿った方向を「周方向」と呼ぶ。そして、図１及び２において、紙面右側を「軸方向一方側」、紙面左側を「軸方向他方側」と呼ぶ。
【００１４】
ここで、図２に示すように、シール１７の外周部は、外輪１１の内径面端部に形成されたシール取付溝１８に支持されている。シール１７の内周部には内向きリップ１９が形成され、当該上記内向きリップ１９が内輪１３の外径面の端部に形成されたシール溝２０の内側壁に弾性接触している。
【００１５】
図１に示すように、プーリ付き軸受は、エンジンブロック５０にボルト２２によって固定される。
【００１６】
エンジンブロック５０にはねじ孔５１が形成され、そのねじ孔５１にねじ係合されたボルト２２の締付けによってスリーブ５２が固定されている。
【００１７】
スリーブ５２は、一端部にフランジ５３を有し、そのフランジ５３がエンジンブロック５０と対向し、その対向部間にワッシャ５４が組み込まれている。ボルト２２は、スリーブ５２の内側からワッシャ５４の中心孔に挿通されてねじ孔５１にねじ係合されている。
【００１８】
スリーブ５２の外側には複列の転がり軸受１０が嵌合され、その転がり軸受１０によってプーリ３０が回転自在に支持されている。
【００１９】
プーリ３０は、ベルトが巻き掛けられるベルト案内輪３１と、そのベルト案内輪３１の内径面中央部に設けられた環状板部３２と、その環状板部３２の内径部に設けられた内筒部３３を有し、上記環状板部３２の軸方向両側において、内筒部３３の外径面とベルト案内輪３１の内周両端部間に一対の環状空間３４が設けられている。
【００２０】
内筒部３３の内周は軸受嵌合面３５とされ、その軸受嵌合面３５内に転がり軸受１０の外輪外径面が圧入されている。また、内筒部３３の一端部には内向きフランジ３６が設けられ、その内向きフランジ３６によって複列の転がり軸受１０の圧入量が規制されている。
【００２１】
なお、プーリ３０として、ここでは、金属の旋削加工品としているが、金属のプレス成形品であってもよく、あるいは、樹脂の成形品であってもよい。
【００２２】
また、ベルト案内輪３１として、ここでは、外径面が円筒面３１ａからなる平ベルト案内用のものを示したが、外径面に複数のＶ溝が形成されたＶベルト案内用のものであってもよい。
【００２３】
複列の転がり軸受１０の軸方向の両側には一対のダストカバー４０が設けられている。一対のダストカバー４０はそれぞれ、環状である。軸方向一方側のダストカバー４０は、その内周部が内輪１３の軸方向端面とボルト２２の頭部２２ａにより軸方向の両側から挟持されることにより固定されている。軸方向他方側のダストカバー４０は、その内周部がスリーブ５２のフランジ５３と転がり軸受１０の内輪１３とで軸方向の両側から挟持されることにより固定されている。ダストカバー４０の軸方向外側の側面４０ａは、ベルト案内輪３１の軸方向端面３１ｂよりも軸方向内側に位置している。
【００２４】
ダストカバー４０のうち転がり軸受１０側（軸方向内側）の側面４０ｂには、軸方向に突出する水滴受け段部４１が設けられている。水滴受け段部４１は、シール１７への水滴の案内を阻害する機能を有している。具体的には、水滴段受け部４１は、側面４０ｂのうちシール７と対向する部分から軸方向に突出している。この水滴受け段部４１の外径面は、当たった水滴が転がり軸受１０側に案内されないように、軸方向と平行又は、転がり軸受１０側が大径で両側に向かって小径になる傾斜面が望ましい。本実施形態では、水滴受け段部４１の外径面は、軸方向と平行に延びる平坦面である。
【００２５】
水滴受け段部４１よりも内径側の内径側板部４２は径方向に平行に延びて、内輪１３とボルト２２との間に挟持されている。水滴受け段部４１よりも外径側の外径側板部４３は径方向に平行に延びている。外径側板部４３は、その外径側端縁が環状板部３２（の径方向略中央部）と軸方向に対向する位置まで延びている。外径側板部４３は、ベルト案内輪３１の内周面に対して小隙間を介して対向し、一対のダストカバー４０と転がり軸受１０との間に水が浸入し難くしている。
【００２６】
そして、一対のダストカバー４０の内径部に設けた水滴受け段部４１の軸方向に突出する幅は、図２に示すように、一対のダストカバー４０と転がり軸受１０との間に侵入した水滴を十分に受けることができるように、一対のダストカバー４０の厚みよりも長く形成されている。水滴受け段部４１に当たった水滴は、水滴受け段部４１の外径面に沿って外部に排出される。
【００２７】
水滴の排出効果を高めるために、水滴受け段部４１の径方向位置は、できるだけダストカバー４０の外径側に設定されることが好ましく、具体的には、転がり軸受１０のボール１５のピッチ円直径以上（ボール１５のピッチ円直径と重なる位置又は当該ピッチ円直径よりも外径側の位置）に設定されることが好ましい。
【００２８】
図３は、この発明の別の実施形態に使用するダストカバー４０を示している。
【００２９】
この実施形態のダストカバー４０は、水滴受け段部４１の外周面に窪み４４を設けている。
【００３０】
前記水滴受け段部４１の外周面に窪み４４を設けることにより、この窪みによって水滴受け効果が向上すると共に、窪み４４に沿っての外部への排出効果も向上する。
【００３１】
図４は、この発明の別の実施形態に使用するダストカバー４０を示している。
【００３２】
この実施形態のダストカバー４０は、転がり軸受１０側の側面における水滴受け段部４１よりも外径側の位置に、軸方向に突出する環状の凸条部４５を設けている。
【００３３】
水滴受け段部４１よりも外径側の位置に、軸方向に突出する環状の凸条部４５を設けることにより、転がり軸受１０とダストカバー４０の間に浸入する水の量を少なくすることができるので、転がり軸受１０のシール性をさらに向上させることができる。
【００３４】
この発明は前述した実施形態に何ら限定されるものではなく、この発明の要旨を逸脱しない範囲において、さらに種々の形態で実施し得ることは勿論のことであり、本発明の範囲は、特許請求の範囲によって示され、さらに特許請求の範囲に記載の均等の意味、および範囲内の全ての変更を含む。
【符号の説明】
【００３５】
１０    ：転がり軸受
１７    ：シール
３０    ：プーリ
４０    ：ダストカバー
４１    ：水滴受け段部
４４    ：窪み
４５    ：凸条部
【図１】
2020051515.tif 000003
【図２】
2020051515.tif 000004
【図３】
2020051515.tif 000005
【図４】
2020051515.tif 000006
【図５】
2020051515.tif 000007
【図６】
2020051515.tif 000008